【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
発光層と、前記発光層の一方の側に設けられた電子注入電極と、前記電子注入電極の設けられた側とは反対側である前記発光層のもう一方の側に設けられたホール注入電極とを含む発光デバイスであって、
前記発光層が、蛍光発光可能な第一の半導体ポリマーを少なくとも１つ含むこと；
前記第一の半導体ポリマーが、少なくとも１つのリン光発光可能なリン光エミッタと混合されていること；
前記発光第一半導体ポリマーが、前記リン光エミッタに対するホストとして働くこと；及び、
前記電子注入電極と前記発光層の間に設けられ、前記第一の半導体ポリマーのπ＊バンドの底に対してエネルギーが近い最低非占有分子軌道を有する第二の半導体ポリマーを含む有機電子輸送層、及び
前記ホール注入電極と前記該発光層の間に設けられ、前記第一の半導体ポリマーの頂部πバンドに対してエネルギーが近い最高占有分子軌道を有する第三の半導体ポリマーを含む有機ホール輸送層
のうちの少なくとも１つを含むこと
を特徴とする、前記発光デバイス。
【請求項２】
電子輸送層を含む請求項１記載の発光デバイス。
【請求項３】
ホール輸送層を含む請求項１記載の発光デバイス。
【請求項４】
前記第二の半導体ポリマーが、前記第一の半導体ポリマーのπ＊バンドの底と、前記電子注入電極の仕事関数との間のエネルギーレベルを有する最低非占有分子軌道を有する請求項２記載の発光デバイス。
【請求項５】
第三の半導体ポリマーが、前記第一の半導体ポリマーの頂部πバンドと、前記ホール注入電極の仕事関数との間のエネルギーレベルを有する最高占有分子軌道を有する、請求項３記載の発光デバイス。
【請求項６】
前記ホール注入電極が、高仕事関数電極、及び、該高仕事関数電極と前記発光層との間の有機ホール注入層を含む、二層電極それ自体である、請求項１記載の発光デバイス。
【請求項７】
前記発光層が共役ポリマーを含む請求項１記載の発光デバイス。
【請求項８】
前記発光層が単一のリン光エミッタを含み、かつ前記第一の半導体ポリマーが前記リン光エミッタに対してホストとして働く、請求項１記載の発光デバイス。
【請求項９】
前記発光層が２つ以上のリン光エミッタを含み、かつ前記第一の半導体ポリマーが該２つ以上のリン光エミッタに対して共通のホストとして働く、請求項１記載の発光デバイス。
【請求項１０】
下記の積層順で各層を含む多層有機ポリマーをベースとする発光デバイス：
低仕事関数電極；
有機ポリマーをベースとする電子注入／輸送層；
半導体有機ポリマー及び少なくとも１つのリン光エミッタを含む発光層；
有機ポリマーをベースとするホール輸送層；及び
高仕事関数電極。
【請求項１１】
前記高仕事関数電極が、高仕事関数層、及び、該高仕事関数層と前記ホール輸送層との間にあり有機ポリマーをベースとするホール注入層を含む、二層電極それ自体である、請求項１０記載の発光デバイス。
【請求項１２】
さらに基材及び保護層を含み、該基材及び該保護層のうち一方が前記低仕事関数電極に隣接して位置し、他方が前記高仕事関数電極に隣接して位置し、かつそのうち少なくとも１つが前記発光層で生じる光の少なくとも一部に対して透明である、請求項１０記載の発光デバイス。
【請求項１３】
前記発光層が、複数の非極性溶媒の各々に対する差異的な可溶性を有する半導体ポリマーを含み、前記輸送層がそれぞれ、複数の極性溶媒の各々に対する差異的な可溶性を有するポリマーを含む、請求項１０記載の発光デバイス。
【請求項１４】
前記発光層が共役ポリマーを含む請求項１０記載の発光デバイス。
【請求項１５】
前記発光層がさらに単一のリン光エミッタを含み、かつ前記第一の半導体ポリマーが前記リン光エミッタに対してホストとして働く請求項１０記載の発光デバイス。
【請求項１６】
前記発光層が、加えて、２つ以上のリン光エミッタを含み、かつ前記第一の半導体ポリマーが２以上のリン光エミッタに対して共通のホストとして働く、請求項１０記載の発光デバイス。
【請求項１７】
前記発光層が、
ａ．少なくとも１つの有機ポリマー蛍光エミッタ、及び
ｂ．単一の発光領域である、緊密混合物中の少なくとも１つのリン光エミッタ、
を含み、
前記少なくとも１つの有機ポリマー蛍光エミッタからの発光が前記少なくとも１つのリン光エミッタからの発光よりもフォトンエネルギーが高く、かつ前記少なくとも１つの有機ポリマー蛍光エミッタ及び前記少なくとも１つのリン光エミッタの発光の組み合せが、白色発光を与えるのに十分な可視スペクトルにわたる、請求項１０記載の発光デバイス。
【請求項１８】
Ｊ＝２００ｍＡ／ｃｍ２において、少なくとも約１００００ｃｄ／ｍ２のＬ、少なくとも約１０ｃｄ／ＡのＬＥｅｘｔ、及び少なくとも約２  ｌｍ／ＷのＰＥｅｘｔを有する有機ポリマーをベースとする白色発光デバイス。
【請求項１９】
単一のリン光エミッタを含む発光層を含む請求項１８記載の白色発光デバイス。
【請求項２０】
ＩＩ型デバイスであり、２つ以上のリン光エミッタを含む発光層を含む、請求項１８記載の白色発光デバイス。
【請求項２１】
８０を超える色レンダリング指標を有する光を発する請求項１８記載の白色発光デバイス。
【請求項２２】
約６４００°Ｋの色温度を有する請求項１９記載の白色発光デバイス。
【請求項２３】
約４７００°Ｋの色温度を有する請求項２０記載の白色発光デバイス。
【請求項２４】
順次の溶液処理によって多層デバイスとして製造され、かつ固体光用途に適している、請求項２１記載の白色発光デバイス。
【請求項２５】
Ｊ＝２３ｍＡ／ｃｍ２において、少なくとも約２００００ｃｄ／ｍ２の輝度、少なくとも約２０ｃｄ／ＡのＬＥ合計、及び少なくとも約６  ｌｍ／ＷのＰＥ合計を有し、かつ固体光用途に適している、請求項２１記載の白色発光デバイス。
【請求項２６】
発光層と、前記発光層の一方の側に設けられた電子注入電極と、前記電子注入電極の設けられた側とは反対側である前記発光層のもう一方の側に設けられたホール注入電極とを含む発光デバイスであって、
前記発光層が、蛍光発光可能な第一の半導体ポリマーを少なくとも１つ含むこと；
前記第一の半導体ポリマーが、少なくとも１つのリン光発光可能なリン光エミッタと混合されていること；
前記発光第一半導体ポリマーが、前記リン光エミッタに対するホストとして働くこと； 
前記電子注入電極と前記発光層の間に設けられ、前記第一の半導体ポリマーのπ＊バンドの底に対してエネルギーが近い最低非占有分子軌道を有する第二の半導体ポリマーを含む有機電子輸送層、及び
前記ホール注入電極と前記該発光層の間に設けられ、前記第一の半導体ポリマーの頂部πバンドに対してエネルギーが近い最高占有分子軌道を有する第三の半導体ポリマーを含む有機ホール輸送層
のうちの少なくとも１つを含むこと；及び
前記第一の半導体ポリマーが第一の溶媒に差異的な可溶性を有し、前記第二及び第三の半導体ポリマーの少なくとも１つが第二の溶媒に差異的な可溶性を有し、前記第一及び第二の溶媒は極性が互いに異なること
を特徴とする、前記発光デバイス。
【請求項２７】
前記第一の溶媒が前記第二の溶媒よりも極性が低い請求項２６記載の発光デバイス。
【請求項２８】
前記第一の溶媒が液体状炭化水素を含み、かつ前記第二の溶媒が低級アルカノールを含む、請求項２７記載の発光デバイス。
【請求項２９】
前記第一の溶媒に溶解した溶液である前記発光層を設置すること、前記第一の溶媒を蒸発させ、前記第二の溶媒に溶解した溶液である前記電子輸送層及び前記ホール輸送層のうちの少なくとも１つを設置すること、及び、前記第二の溶媒を蒸発させることを含む、請求項２６記載の発光デバイスを製造する方法。
【請求項３０】
第一の層の前記溶媒の蒸発が、第二の層を設置する前に完了する、請求項２９記載の方法。
【請求項３１】
電子輸送層及びホール輸送層を共に設置することを含み、ここで、該ホール輸送層がまず設置され、続いて前記発光層が設置され、その後に続いて該電子輸送層が設置されることを特徴とする、請求項２９記載の方法。
【請求項３２】
前記発光層溶液の溶媒がより極性の低い溶媒であり、前記電子輸送層溶液の溶媒が前記ホール輸送層溶液の溶媒と同一または異なり、前記輸送層溶液の溶媒が前記発光層の溶媒よりも極性の高い溶媒である、請求項３１記載の方法。
【請求項３３】
前記発光層の溶媒が非極性炭化水素を含み、かつ前記輸送層の溶媒が低級アルカノールを含む、請求項３２記載の方法。